(57)【要約】【課題】負荷回路による消費電力の瞬間的な増加があっても電源容量を抑制可能な電源装置を備えた遊技機を提供する。【解決手段】遊技機１００が有する電源装置１１３は、交流電源（１０）から入力された交流電力を直流電力に変換して出力する充電回路（２１）と、充電回路（２１）に対して間欠的に動作する負荷回路（１９）と並列に接続され、負荷回路（１９）が動作を停止している間に充電回路（２１）から出力される直流電力により充電され、負荷回路（１９）が動作するときに放電して負荷回路（１９）へ直流電力を供給するキャパシタ（１４）と、充電回路（２１）に対してキャパシタ（１４）と直列に接続される抵抗（１５）と、キャパシタ（１４）に対して抵抗（１５）と並列に接続され、負荷回路（１９）が動作するときにオンとなって抵抗（１５）を短絡するスイッチング素子（１８）とを有する。【選択図】図１
2019097925.tif 000002
【特許請求の範囲】
【請求項１】
電源装置と、
前記電源装置から供給された直流電力によって動作する負荷回路とを有し、
前記電源装置は、
交流電源から入力された交流電力を直流電力に変換して出力する充電回路と、
前記充電回路に対して間欠的に動作する負荷回路と並列に接続され、前記負荷回路が動作を停止している間に前記充電回路から出力される直流電力により充電され、前記負荷回路が動作するときに放電して前記負荷回路へ直流電力を供給するキャパシタと、
前記充電回路に対して前記キャパシタと直列に接続される抵抗と、
前記キャパシタに対して前記抵抗と並列に接続され、前記負荷回路が動作するときにオンとなって前記抵抗を短絡するスイッチング素子と、
を有する遊技機。
【請求項２】
前記電源装置は、前記キャパシタが充電される間において前記キャパシタに流れる電流が所定の電流値よりも大きいと前記スイッチング素子をオフにし、一方、前記キャパシタが充電される間において前記キャパシタに流れる電流が前記所定の電流値以下となるか、前記キャパシタが放電している間、前記スイッチング素子をオンにする充電制御回路をさらに有する、請求項１に記載の遊技機。
【請求項３】
前記充電制御回路は、
前記キャパシタと直列に接続され、充電時において前記キャパシタに流れる電流が大きいほど高い電圧を出力する電流検知回路と、
前記電流検知回路から出力される電圧が前記所定の電流値に相当する基準電圧以下となると前記スイッチング素子をオンにする電圧を出力し、一方、前記電流検知回路から出力される電圧が前記基準電圧よりも高いと前記スイッチング素子をオフにする電圧を出力する比較回路と、を有する請求項２に記載の遊技機。
【請求項４】
前記電源装置は、前記キャパシタの両端間電圧が所定の電圧値未満となっていると前記スイッチング素子をオフにし、一方、前記キャパシタの両端間電圧が前記所定の電圧値以上になると前記スイッチング素子をオンにする充電制御回路をさらに有する、請求項１に記載の遊技機。
【請求項５】
前記充電制御回路は、
前記キャパシタと並列に接続され、前記キャパシタの両端間電圧に応じた電圧を出力する電圧検知回路と、
前記電圧検知回路から出力される電圧が前記所定の電圧値に相当する基準電圧以上となると前記スイッチング素子をオンにする電圧を出力し、一方、前記電圧検知回路から出力される電圧が前記基準電圧未満となると前記スイッチング素子をオフにする電圧を出力する比較回路と、を有する請求項４に記載の遊技機。
【請求項６】
前記遊技機は、前記負荷回路を制御する制御回路をさらに有し、
前記電源装置の前記スイッチング素子は、前記制御回路と接続され、前記スイッチング素子は、前記負荷回路が動作する間、前記制御回路から前記スイッチング素子をオンにする信号を受信して前記抵抗を短絡し、一方、前記負荷回路が動作を停止している間、前記制御回路から前記スイッチング素子をオフにする信号を受信してオフとなる、請求項１に記載の遊技機。
【発明の詳細な説明】
【技術分野】
【０００１】
本発明は、電源装置を備えた遊技機に関する。
【背景技術】
【０００２】
遊技機の各回路は、一般的に、直流電圧で動作する。そこで、遊技機用の電源装置として、ステップダウン・トランスの１次側に商用電源電圧を入力し、２次側から商用電源電圧より低く電力変換し、２次側の交流電圧を整流回路と平滑回路により直流電圧に変換して出力するとともに、その直流電圧をＤＣ／ＤＣコンバータによって所望の電圧へ変換する電源装置が提案されている（例えば、特許文献１を参照）。
【０００３】
また、例えば、多数の遊技機が設置される遊技場のように、一つの交流電力供給源から複数の装置が電力供給を受けることがある。このような場合、各遊技機の動作状況に応じてトータルの消費電力が変動するため、場合によっては、瞬間的にトータルの消費電力が非常に大きくなることがある。このような場合でも、各遊技機を正常に駆動するためには、交流電力供給源の電源容量を非常に大きくすることが求められる。
【０００４】
一方、回生運転時には電気二重層コンデンサ（Electric Double Layer Capacitor, EDLC）を充電し、力行運転時にはEDLCから電力を供給する技術が提案されている（例えば、非特許文献１を参照）。
【先行技術文献】
【特許文献】
【０００５】
【特許文献１】特開平１１−９８６８５号公報
【非特許文献】
【０００６】
【非特許文献１】八代他、「回生電力蓄電電源用電気二重層コンデンサの充放電効率」、平成１９年電気学会全国大会論文集、4-020、p.32-33、2007年
【発明の概要】
【発明が解決しようとする課題】
【０００７】
しかし、遊技機では、EDLCを充電するために十分な回生電力を得ることは困難であり、非特許文献１に記載の技術を遊技機の電源装置に適用することは困難であった。
【０００８】
そこで、本発明は、負荷回路による消費電力の瞬間的な増加があっても電源容量を抑制可能な電源装置を有する遊技機提供することを目的とする。
【課題を解決するための手段】
【０００９】
本発明の一つの形態として、遊技機が提供される。この遊技機は、電源装置と、電源装置から供給される直流電力によって動作する負荷回路を有する。そして電源装置は、交流電源から入力された交流電力を直流電力に変換して出力する充電回路と、充電回路に対して間欠的に動作する負荷回路と並列に接続され、負荷回路が動作を停止している間に充電回路から出力される直流電力により充電され、負荷回路が動作するときに放電して負荷回路へ直流電力を供給するキャパシタと、充電回路に対してキャパシタと直列に接続される抵抗と、キャパシタに対して抵抗と並列に接続され、負荷回路が動作するときにオンとなって抵抗を短絡するスイッチング素子とを有する。
【００１０】
係る構成を有することにより、この遊技機は、負荷回路による消費電力の瞬間的な増加があっても電源容量を抑制できる。
【００１１】
この遊技機において、電源装置は、キャパシタが充電される間においてキャパシタに流れる電流が所定の電流値よりも大きいとスイッチング素子をオフにし、一方、キャパシタが充電される間においてキャパシタに流れる電流が所定の電流値以下となるか、キャパシタが放電している間、スイッチング素子をオンにする充電制御回路をさらに有することが好ましい。
【００１２】
これにより、この遊技機は、キャパシタの充電に要する電力を抑制しつつ、負荷回路が動作するときに抵抗を介して電流が流れないようにすることができる。
【００１３】
この場合において、充電制御回路は、キャパシタと直列に接続され、充電時においてキャパシタに流れる電流が大きいほど高い電圧を出力する電流検知回路と、電流検知回路から出力される電圧が所定の電流値に相当する基準電圧以下となるとスイッチング素子をオンにする電圧を出力し、一方、電流検知回路から出力される電圧が基準電圧よりも高いとスイッチング素子をオフにする電圧を出力する比較回路とを有することが好ましい。
【００１４】
これにより、この遊技機は、キャパシタの充電の程度に応じて適切なタイミングで抵抗を短絡できる。
【００１５】
あるいは、この遊技機において、電源装置は、キャパシタの両端間電圧が所定の電圧値未満となっているとスイッチング素子をオフにし、一方、キャパシタの両端間電圧が所定の電圧値以上になるとスイッチング素子をオンにする充電制御回路をさらに有することが好ましい。
【００１６】
これにより、この遊技機は、キャパシタの充電に要する電力を抑制しつつ、負荷回路が動作するときに抵抗を介して電流が流れないようにすることができる。
【００１７】
この場合において、充電制御回路は、キャパシタと並列に接続され、キャパシタの両端間電圧に応じた電圧を出力する電圧検知回路と、電圧検知回路から出力される電圧が所定の電圧値に相当する基準電圧以上となるとスイッチング素子をオンにする電圧を出力し、一方、電圧検知回路から出力される電圧が基準電圧未満となるとスイッチング素子をオフにする電圧を出力する比較回路とを有することが好ましい。
【００１８】
これにより、この遊技機は、キャパシタの充電の程度に応じて適切なタイミングで抵抗を短絡できる。
【００１９】
あるいはまた、この遊技機は、負荷回路を制御する制御回路をさらに有し、遊技機の電源装置のスイッチング素子は、その制御回路と接続され、スイッチング素子は、負荷回路が動作する間、その制御回路からスイッチング素子をオンにする信号を受信して抵抗を短絡し、一方、負荷回路が動作を停止している間、その制御回路からスイッチング素子をオフにする信号を受信してオフとなることが好ましい。
【００２０】
これにより、この遊技機は、キャパシタの充電に要する電力を抑制しつつ、負荷回路が動作するときに抵抗を介して電流が流れないようにすることができる。またこの電源装置は、負荷回路の動作時に合わせて適切なタイミングで抵抗を短絡できる。
【図面の簡単な説明】
【００２１】
【図１】本発明の一つの実施形態に係る遊技機に搭載される、電源装置の概略構成図である。
【図２】充放電時の電流の時間変化を表す図である。
【図３】変形例による、電源装置の概略構成図である。
【図４】他の変形例による、電源装置の概略構成図である。
【図５】本発明の一つの実施形態による弾球遊技機の概略斜視図である。
【図６】本発明の一つの実施形態による弾球遊技機の概略背面図である。
【発明を実施するための形態】
【００２２】
以下、本発明の一つの実施形態による遊技機に搭載される電源装置を、図を参照しつつ説明する。この電源装置は、負荷回路が動作を停止している間、交流電源から供給された交流電力の電圧をトランスによって所定の電圧に変換した後、整流回路によって直流電力に変換し、その直流電力にてEDCLを充電する。その際、EDLCに直列に接続される抵抗により、充電時にEDLCに流れる電流を小さくして、充電時における交流電源への負荷を抑制する。またこの電源装置は、EDLCがある程度以上充電されて、EDLCに流れる電流が所定の閾値以下となると、EDLCと直列に接続される抵抗を短絡し、負荷回路が動作を開始するとEDLCから放電される電力によって負荷回路を駆動する。
【００２３】
図１は、本発明の一つの実施形態に係る遊技機に搭載される電源装置の概略構成図である。図１に示されるように、電源装置１は、トランス１１と、整流回路１２と、ＤＣ／ＤＣコンバータ１３と、キャパシタ１４と、抵抗１５と、電流検知回路１６と、比較回路１７と、スイッチング素子１８とを有する。そして電源装置１は、交流電源の一例である商用電源１０から供給される交流電力を直流電力に変換して、その直流電力を負荷回路１９へ供給する。
【００２４】
本実施形態では、負荷回路１９は、例えば、直流モータあるいはソレノイドを有し、間欠的に動作する。すなわち、負荷回路１９は、動作を停止する一定または不定期の休止期間と、動作を行う動作期間とが交互に現れるように駆動される。
【００２５】
トランス１１、整流回路１２及びＤＣ／ＤＣコンバータ１３は、充電回路２１を構成し、商用電源１０から供給される交流電力を直流電力に変換し、変換された直流電力の電圧をEDLCの充電に適した電圧に低下させた上でキャパシタ１４を充電する。
【００２６】
トランス１１は、商用電源１０から入力された交流電力の電圧を所定の電圧に変換する。例えば、トランス１１は、商用電源１０から入力された、１００Ｖの交流電圧を２４Ｖの交流電圧に変換して出力する。そのために、トランス１１の１次側の巻線の両端子は、それぞれ、商用電源１０と接続される。また、トランス１１の２次側の巻線の両端子は、それぞれ、整流回路１２の入力端子と接続される。
【００２７】
整流回路１２は、トランス１１から入力された交流電力を直流電力に変換する。そのために、整流回路１２は、例えば、図１に示されるように、ブリッジ型に接続された４個のダイオードを有する全波整流回路とすることができる。
【００２８】
ＤＣ／ＤＣコンバータ１３は、整流回路１２の出力端子と接続され、整流回路１２から出力された直流電力の電圧（例えば、２４Ｖ）を、キャパシタ１４を充電するための電圧（例えば、３Ｖ）に変換する。なお、ＤＣ／ＤＣコンバータ１３は、公知の様々なＤＣ／ＤＣコンバータの何れかとすることができる。
なお、トランス１１と整流回路１２により、キャパシタ１４を充電するのに適した直流電圧が得られる場合には、ＤＣ／ＤＣコンバータ１３は省略されてもよい。
【００２９】
キャパシタ１４は、ＤＣ／ＤＣコンバータ１３の出力側に、負荷回路１９と並列に接続される。すなわち、キャパシタ１４の一端は、ＤＣ／ＤＣコンバータ１３の出力側の端子及び負荷回路１９の一端と接続され、キャパシタ１４の他端は、電流検知回路１６及び抵抗１５を介して整流回路１２の負極側の出力端子と接続される。そしてキャパシタ１４は、負荷回路１９が動作していない間、ＤＣ／ＤＣコンバータ１３を介して供給される直流電力により充電される。すなわち、図１において矢印１０１で示される方向に沿って流れる電流により充電される。一方、キャパシタ１４は、負荷回路１９が動作する際、放電して、負荷回路１９に直流電力を供給する。すなわち、図１において矢印１０２で示される方向に沿って流れる電流を負荷回路１９へ供給する。本実施形態では、キャパシタ１４は、EDLCとすることができる。なお、キャパシタ１４は、直列または並列に接続される複数のEDLCを有していてもよい。また、キャパシタ１４の静電容量は、負荷回路１９の動作時に流れる電流、負荷回路１９の動作期間、及び、許容される電圧降下量に応じて設定される。例えば、負荷回路１９の動作時に流れる電流が10Aであり、負荷回路１９の動作期間が100msecであり、動作期間において許容される電圧降下量が1Vである場合、キャパシタ１４の静電容量は1F(=10[A]x0.1[s]/1[V])よりも大きくなるように設定されればよい。
【００３０】
抵抗１５は、キャパシタ１４と整流回路１２の負極側の出力端子との間に、キャパシタ１４と直列に接続される。すなわち、抵抗１５の一端は、電流検知回路１６と接続され、抵抗１５の他端は、整流回路１２の負極側の出力端子及び負荷回路１９の他の一端と接続される。そしてキャパシタ１４がある程度まで充電される間、抵抗１５を介してキャパシタ１４へ電流が流れることで、電源装置１は、充電時において商用電源１０に要求する電力を小さくすることができる。そのため、交流電源１０からの供給電力に限りがある場合でも、電源装置１は、キャパシタ１４を充電できる。なお、抵抗１５の抵抗値は、例えば、負荷回路１９が動作するときの負荷回路１９の抵抗値よりも大きいことが好ましい。これにより、電源装置１は、充電時における消費電力を、負荷回路１９の動作時における消費電力よりも小さくできる。さらに、抵抗１５の抵抗値は、負荷回路１９の休止期間中にキャパシタ１４が十分に充電される値に設定されることが好ましい。
【００３１】
また、負荷回路１９が動作するときには、抵抗１５と並列に接続されるスイッチング素子１８がオンとなることで、抵抗１５が短絡される。そのため、負荷回路１９が動作するときには、抵抗１５により、キャパシタ１４から供給される電力が消費されることが防止される。
【００３２】
電流検知回路１６及び比較回路１７は、充電制御回路２２の一例を構成する。そして電流検知回路１６及び比較回路１７により構成される充電制御回路２２は、キャパシタ１４の充電時において、キャパシタ１４に流れる電流が所定の電流値よりも大きいとスイッチング素子１８をオフにし、一方、キャパシタ１４の充電時において、キャパシタ１４に流れる電流が所定の電流値以下となるか、キャパシタ１４が放電している間、スイッチング素子１８をオンにする。
【００３３】
電流検知回路１６は、キャパシタ１４と整流回路１２の負極側の出力端子との間に、抵抗１５とともにキャパシタ１４に対して直列に接続される。そして電流検知回路１６は、キャパシタ１４に流れる電流を検知する。そのために、電流検知回路１６は、例えば、ホール素子を有し、キャパシタ１４に流れる電流に応じた電圧を比較回路１７へ出力する。例えば、ホール素子は、充電時においてキャパシタ１４に流れる電流が大きいほど高い電圧を出力するように配置される。これにより電流検知回路１６は、充電時とは逆向きに電流が流れる放電時、及び、充電時においてキャパシタ１４に流れる電流が小さい場合には低い電圧を出力し、一方、充電時においてキャパシタ１４に流れる電流が大きくなるにつれて、高い電圧を出力する。
【００３４】
比較回路１７は、充電時においてキャパシタ１４を流れる電流の大きさに応じて、スイッチング素子１８のオン／オフを切り替える。本実施形態では、比較回路１７は、充電時においてキャパシタ１４を流れる電流が所定の電流値以下となったときにスイッチング素子１８をオンにする。そのために、比較回路１７は、例えば、コンパレータを有し、コンパレータの非反転入力端子には、所定の電流値に対応する基準電圧が印加される。一方、コンパレータの反転入力端子には、電流検知回路１６からの出力電圧が印加される。そして充電時においてキャパシタ１４に流れる電流が所定の電流値以下となると、電流検知回路１６からの出力電圧が基準電圧以下となって、コンパレータは相対的に高い電圧をスイッチング素子１８へ出力することで、スイッチング素子１８をオンにする。一方、キャパシタ１４に流れる電流が所定の電流値よりも大きい場合には、電流検知回路１６からの出力電圧が基準電圧よりも高くなって、コンパレータは相対的に低い電圧をスイッチング素子１８へ出力することで、スイッチング素子１８をオフにする。
【００３５】
なお、電流検知回路１６は、充電時においてキャパシタ１４に流れる電流が大きいほど低い電圧を出力するように設けられてもよい。この場合には、例えば、電流検知回路１６からの出力電圧が比較回路１７のコンパレータの非反転入力端子に印加され、基準電圧がコンパレータの反転入力端子に印加されてもよい。
【００３６】
スイッチング素子１８は、電流検知回路１６と整流回路１２の負極側の出力端子との間に、抵抗１５と並列に接続される。スイッチング素子１８は、例えば、n型のMOSFETとすることができる。本実施形態では、スイッチング素子１８のドレイン端子は電流検知回路１６と接続され、スイッチング素子１８のソース端子は整流回路１２の負極側の出力端子及び負荷回路１９の他の一端と接続される。またスイッチング素子１８のゲート端子は比較回路１７の出力端子と接続される。
【００３７】
上記のように、充電時において、キャパシタ１４に流れる電流が所定の電流値よりも大きい場合、比較回路１７によりスイッチング素子１８はオフとされる。そのため、この場合には、抵抗１５を介して流れる電流により、キャパシタ１４は充電される。一方、キャパシタ１４に流れる電流が所定の電流値以下まで低下すると、比較回路１７によりスイッチング素子１８はオンとなる。その結果、抵抗１５は短絡され、キャパシタ１４の充電が完了するまで、スイッチング素子１８を通る電流によってキャパシタ１４の充電が継続される。この場合、充電に用いられる電流値は小さくなっているので、抵抗１５を介さずとも、充電に用いられる電力は小さくなっており、商用電源１０への負荷を軽減できる。また、上記のように、負荷回路１９が動作すると、キャパシタ１４から放電される電力は、抵抗１５を介さずにスイッチング素子１８を通って負荷回路１９へ流れるので、抵抗１５により、キャパシタ１４から供給される電力が消費されることが防止される。
【００３８】
図２は、充放電時の電流の時間変化を表す図である。図２において、横軸は時間を表す。また図２の上側の縦軸は、キャパシタ１４に流れる電流の大きさを表す。なお、便宜上、図１の矢印１０１に沿って流れる方向の電流、すなわち、充電時の電流を正、矢印１０２に沿って流れる方向の電流、すなわち、放電時の電流を負とした。また、図２の下側の縦軸は、スイッチング素子１８のオン／オフ状態を表す。そして波形２０１は、キャパシタ１４に流れる電流の時間変化を表し、波形２０２は、スイッチング素子１８のオン／オフの状態の時間変化を表す。
【００３９】
波形２０１及び波形２０２に示されるように、時刻t1までは、所定の電流値I0よりも大きい電流によりキャパシタ１４は充電される。また、スイッチング素子１８はオフのままとなる。時刻t1にて、キャパシタ１４に流れる電流が所定の電流値I0以下となる。その結果、スイッチング素子１８はオンとなり、その後、時刻t2にてキャパシタ１４の充電が完了するまでほぼ一定の値を持つ電流によりキャパシタ１４の充電は継続される。そして時刻t2にてキャパシタ１４の充電が完了し、キャパシタ１４に流れる電流は０となる。
【００４０】
その後、時刻t3にて負荷回路１９が動作を開始すると、キャパシタ１４は放電し、充電時とは逆向きの電流が流れる。この場合、電流の向きが充電時とは逆向きであるため、電流値の絶対値は所定の電流値よりも大きいものの、スイッチング素子１８ではオンの状態が維持される。そして時刻t4にて負荷回路１９の動作が終了すると、再度キャパシタ１４の充電が開始され、時刻t5にてキャパシタ１４に流れる電流の値が所定の電流値I0よりも大きくなると、スイッチング素子１８はオフとなる。以降、同様の挙動が繰り返される。
【００４１】
以上に説明してきたように、この電源装置では、負荷回路が動作を停止している間、商用電源から供給される交流電力によりキャパシタが充電され、負荷回路が動作を開始すると、キャパシタが放電することで負荷回路に電力が供給される。そしてこの電源装置は、充電時においてキャパシタに流れる電流の値が所定の電流値より大きい間は抵抗を介して充電するようにすることで、キャパシタの充電に要する電力が大きくなり過ぎることを防止するとともに、キャパシタの充電がほぼ終了してキャパシタに流れる電流の値が所定の電流値以下となると、抵抗を短絡し、負荷回路が動作するときに抵抗を介さずにキャパシタから電力供給できるようにする。そのため、この電源装置は、負荷回路による消費電力の瞬間的な増加があっても電源容量を抑制できる。
【００４２】
変形例によれば、電源装置は、キャパシタに流れる電流の代わりに、キャパシタの両端間電圧に応じて、キャパシタと直列に接続される抵抗を短絡するか否かを切り替えてもよい。
【００４３】
図３は、変形例による電源装置の概略構成図である。図３に示されるように、この変形例による電源装置２は、トランス１１と、整流回路１２と、ＤＣ／ＤＣコンバータ１３と、キャパシタ１４と、抵抗１５と、電圧検知回路２３と、比較回路１７と、スイッチング素子１８とを有する。図３に示される電源装置２は、図１に示される電源装置１と比較して、電流検知回路１６の代わりに電圧検知回路２３を有する点で相違する。そこで以下では、電圧検知回路２３及びその関連部分について説明する。電源装置２のその他の構成要素については、上記の実施形態の対応する構成要素の説明を参照されたい。
【００４４】
この変形例では、電圧検知回路２３及び比較回路１７により充電制御回路２４が構成される。電圧検知回路２３及び比較回路１７により構成される充電制御回路２４は、キャパシタ１４の両端間電圧が所定の電圧値よりも低いとスイッチング素子１８をオフにし、一方、キャパシタ１４の両端間電圧が所定の電圧値以上になるとスイッチング素子１８をオンにして抵抗１５を短絡する。
【００４５】
電圧検知回路２３は、ＤＣ／ＤＣコンバータ１３の出力側の端子と、整流回路１２の負極側の端子との間に、キャパシタ１４と並列に接続される。そして電圧検知回路２３は、キャパシタ１４の両端間電圧に応じた電圧値を比較回路１７へ出力する。例えば、電圧検知回路２３は、キャパシタ１４の両端間電圧が高くなるほど高い電圧値を出力する。
【００４６】
したがって、キャパシタ１４の蓄電量が増加するほど、キャパシタ１４の両端間電圧は高くなるので、電圧検知回路２３は、キャパシタ１４の蓄電量が増加するほど高い電圧値を出力する。
【００４７】
比較回路１７は、上記の実施形態と同様に、例えば、コンパレータを有し、電圧検知回路２３から出力された電圧値が非反転入力端子に印加され、基準電圧値が反転入力端子に印加される。そして比較回路１７は、電圧検知回路２３から出力された電圧値が基準電圧値以上となる場合に相対的に高い電圧値をスイッチング素子１８へ出力して、スイッチング素子１８をオンにして、抵抗１５を短絡する。一方、比較回路１７は、電圧検知回路２３から出力された電圧値が基準電圧値未満となる場合に相対的に低い電圧値をスイッチング素子１８へ出力して、スイッチング素子１８をオフにする。
【００４８】
なお、基準電圧値は、例えば、上記の実施形態における所定の電流値がキャパシタ１４に流れたときに相当する、電圧検知回路２３の出力電圧値とすることができる。
【００４９】
したがって、この変形例による電源装置２も、上記の実施形態による電源装置１と同様に、充電時においてキャパシタの両端間電圧の値が所定の電圧以下となる間は抵抗を介して充電するようにすることで、充電時の電力が大きくなり過ぎることを防止するとともに、充電がほぼ終了してキャパシタの両端間電圧の値が所定の電圧より高くなると、抵抗を短絡し、負荷回路が動作するときに抵抗を介さずにキャパシタから電力供給できるようにする。そのため、この電源装置は、負荷回路による消費電力の瞬間的な増加があっても電源容量を抑制できる。
【００５０】
また他の変形例によれば、負荷回路を制御する制御回路により、スイッチング素子のオン／オフが制御されてもよい。
【００５１】
図４は、他の変形例による電源装置の概略構成図である。図４に示されるように、この変形例による電源装置３は、トランス１１と、整流回路１２と、ＤＣ／ＤＣコンバータ１３と、キャパシタ１４と、抵抗１５と、スイッチング素子１８とを有する。図４に示される電源装置３は、図１に示される電源装置１と比較して、充電制御回路２２が省略される。その代わりに、負荷回路１９を制御する制御回路２５が、スイッチング素子１８のオン／オフを制御する。そこで以下では、制御回路２５及びその関連部分について説明する。電源装置３のその他の構成要素については、上記の実施形態の対応する構成要素の説明を参照されたい。
【００５２】
制御回路２５は、スイッチング素子１８のゲート端子と接続される。そして制御回路２５は、負荷回路１９が動作を停止している間、スイッチング素子１８をオフにする電圧をスイッチング素子１８のゲート端子に印加する。一方、制御回路２５は、負荷回路１９が動作する間、スイッチング素子１８をオンにする電圧をスイッチング素子１８のゲート端子に印加して、抵抗１５を短絡する。
【００５３】
したがって、この変形例による電源装置も、上記の実施形態による電源装置と同様の効果を得ることができる。
【００５４】
上記の実施形態または変形例による電源装置は、弾球遊技機または回胴遊技機といった遊技機に搭載されてもよい。
図５は、本発明の一つの実施形態による弾球遊技機１００の概略斜視図である。また図６は、弾球遊技機１００の概略背面図である。図５に示すように、弾球遊技機１００は、上部から中央部の大部分の領域に設けられ、遊技機本体である遊技盤１０１と、遊技盤１０１の下方に配設された球受け部１０２と、ハンドルを備えた操作部１０３と、遊技盤１０１の略中央に設けられた表示装置１０４とを有する。
また弾球遊技機１００は、遊技の演出のために、遊技盤１０１の前面において遊技盤１０１の下方に配置された固定役物部１０５と、遊技盤１０１と固定役物部１０５との間に配置された可動役物部１０６とを有する。また遊技盤１０１の側方にはレール１０７が配設されている。また遊技盤１０１上には多数の障害釘（図示せず）及び少なくとも一つの入賞装置１０８が設けられている。
【００５５】
操作部１０３は、遊技者の操作によるハンドルの回動量に応じて図示しない発射装置より所定の力で遊技球を発射する。発射された遊技球は、レール１０７に沿って上方へ移動し、多数の障害釘の間を落下する。そして遊技球が何れかの入賞装置１０８に入ったことを、図示しないセンサにより検知すると、遊技盤１０１の背面に設けられた主制御回路１１０は、遊技球が入った入賞装置１０８に応じた所定個の遊技球を、玉払い出し装置（図示せず）を介して球受け部１０２へ払い出す。さらに主制御回路１１０は、遊技盤１０１の背面に設けられた演出用CPU１１１を介して表示装置１０４に様々な映像を表示させる。
【００５６】
可動役物部１０６は、遊技の状態に応じて移動する可動体の一例であり、遊技盤１０１の背面に設けられた、可動体駆動装置１１２により駆動される。なお、遊技機１００が、可動役物部１０６以外にも可動体を有する場合、例えば、入賞装置１０８の開口部に、開口の大きさを可変にする可動体を有する場合、その可動体も、可動体駆動装置１１２によって駆動されてもよい。
【００５７】
上記の実施形態またはその変形例による電源装置１１３は、可動体駆動装置１１２など、供給された電力を利用して間欠的に動作する遊技機の各回路へ電力を供給する。なお、可動体駆動装置１１２は、負荷回路の一例である。例えば、電源装置１１３は、可動体駆動装置１１２が動作を停止している間に、商用電源から供給された交流電力によって電源装置１１３が有するキャパシタを充電し、電源装置１１３は、可動体駆動装置１１２が可動役物部１０６を駆動する際にキャパシタからの放電によって可動体駆動装置１１２に電力を供給する。その際、演出用CPU１１１は、上記の変形例による制御回路２５として機能して、電源装置１１３のスイッチング素子のオン／オフを制御してもよい。すなわち、演出用CPU１１１は、可動体駆動装置１１２が可動役物部１０６を駆動する間、電源装置１１３のスイッチング素子をオンにしてもよい。
【００５８】
このように、当業者は、本発明の範囲内で、実施される形態に合わせて様々な変更を行うことができる。
【符号の説明】
【００５９】
１、２、３    電源装置
１０    商用電源
１１    トランス
１２    整流回路
１３    ＤＣ／ＤＣコンバータ
１４    キャパシタ
１５    抵抗
１６    電流検知回路
１７    比較回路
１８    スイッチング素子
１９    負荷回路
２１    充電回路
２２、２４    充電制御回路
２３    電圧検知回路
２５    制御回路
１００    弾球遊技機
１０１    遊技盤
１０２    球受け部
１０３    操作部
１０４    表示装置
１０５    固定役物部
１０６    可動役物部
１０７    レール
１０８    入賞装置
１１０    主制御回路
１１１    演出用CPU
１１２    可動体駆動装置
１１３    電源装置
【図１】
2019097925.tif 000003
【図２】
2019097925.tif 000004
【図３】
2019097925.tif 000005
【図４】
2019097925.tif 000006
【図５】
2019097925.tif 000007
【図６】
2019097925.tif 000008